(57)【要約】【課題】機器本体の天面あるいは側面に機器を操作する操作部を有する水使用機器において、外郭に透明感のある質感を表現し、深みがあり高級感のあるデザインができるようにするとともに、機器表面の文字や絵柄を立体的に表現し見やすくする。【解決手段】機器本体の天面あるいは側面に機器を操作する操作部１３を有し、透明材料層１５ｄの表面に透明フィルム層１５ｃを一体に成形し、部分的に透明フィルム層１５ｃのみの部分を設けて操作部１３を形成するとともに、透明材料層１５ｄの透明フィルム層１５ｃと反対側の面に有色な加飾１５ｅを施した外郭部材１５で外郭を構成する。【選択図】  図１
2004167133.tif 000002
【特許請求の範囲】
【請求項１】
機器本体の天面あるいは側面に機器を操作する操作部を有し、透明材料層の表面に透明フィルム層を一体に成形し、部分的に前記透明フィルム層のみの部分を設けて前記操作部を形成するとともに、前記透明材料層の前記透明フィルム層と反対側の面に有色な加飾を施した外郭部材で外郭を構成した水使用機器。
【請求項２】
透明フィルム層の一部に加飾を施した請求項１記載の水使用機器。
【請求項３】
透明材料層の透明フィルム層と反対側の面の有色な加飾は塗装もしくは印刷処理とした請求項１または２記載の水使用機器。
【請求項４】
機器本体の天面あるいは側面に機器を操作する操作部を有し、表面の透明フィルム層の下層に透明材料層を有し、さらにその下層に有色材料層を一体に形成し、部分的に前記透明フィルム層のみの部分を有する外郭部材で外郭を構成し、前記操作部は前記外郭部材の前記透明フィルム層の部分に設けた水使用機器。
【請求項５】
外郭部材を機器に固定するための嵌合部を有色材料層に構成した請求項４記載の水使用機器。
【発明の詳細な説明】
【０００１】
【発明の属する技術分野】
本発明は、機器本体の天面あるいは側面に機器を操作する操作部を有する水使用機器に関するものである。
【０００２】
【従来の技術】
従来、この種の水使用機器は図７に示すように構成していた。以下、その構成について説明する。
【０００３】
図７に示すように、機器外郭５１の表面には、外郭部材５５を装着する外郭部材装着部５６を凹設している。この外郭部材装着部５６には操作部５２のアクチュエータ５２ａが臨む操作部操作孔５７と、操作に対応して表示をするパイロットランプ５３が貫通するパイロットランプ孔５８を設けている。樹脂製の外郭部材５５は、予め防水フィルム５９と一体成形し、操作部６０には外郭部材５５の樹脂はなく防水フィルム５９のみとなっている。また、外郭部材５５は接着部６２により機器外郭５１に水密に接着されている（例えば、特許文献１参照）。
【０００４】
【特許文献１】
特開平６−２０９８４９号公報（第３−４項、第１図）
【０００５】
【発明が解決しようとする課題】
しかしながらこのような従来の構成では、本体内部に水が侵入しないようにし、かつ段差や溝がなく、手入れしやすいよう操作部６０のみは防水フィルム５９のみで構成した機器であっても、外郭は有色部材からなり、透明感のある質感を機器外郭に表現することができず、深みがあり高級感のあるデザインはできなかった。また、機器表面に文字や絵柄を立体的に表現することができなかった。
【０００６】
本発明は上記課題を解決するもので、外郭に透明感のある質感を表現し、深みがあり高級感のあるデザインができるようにするとともに、機器表面の文字や絵柄を立体的に表現し見やすくすることを目的としている。
【０００７】
【課題を解決するための手段】
本発明は上記目的を達成するために、機器本体の天面あるいは側面に機器を操作する操作部を有し、透明材料層の表面に透明フィルム層を一体に成形し、部分的に透明フィルム層のみの部分を設けて操作部を形成するとともに、透明材料層の透明フィルム層と反対側の面に有色な加飾を施した外郭部材で外郭を構成したものである。
【０００８】
これにより、機器外郭に透明感のある質感を表現することができ、深みがあり高級感のあるデザインができるとともに、機器表面の文字や絵柄を立体的に表現し見やすくすることができる。
【０００９】
【発明の実施の形態】
本発明の請求項１に記載の発明は、機器本体の天面あるいは側面に機器を操作する操作部を有し、透明材料層の表面に透明フィルム層を一体に成形し、部分的に前記透明フィルム層のみの部分を設けて前記操作部を形成するとともに、前記透明材料層の前記透明フィルム層と反対側の面に有色な加飾を施した外郭部材で外郭を構成したものであり、機器外郭に透明感のある質感を表現することができ、深みがあり高級感のあるデザインができるとともに、機器表面の文字や絵柄を立体的に表現し見やすくすることができる。
【００１０】
請求項２に記載の発明は、上記請求項１に記載の発明において、透明フィルム層の一部に加飾を施したものであり、機器表面の文字や絵柄を立体的に表現することができ、見やすくすることができる。
【００１１】
請求項３に記載の発明は、上記請求項１または２に記載の発明において、透明材料層の透明フィルム層と反対側の面の有色な加飾は塗装もしくは印刷処理としたものであり、より一層機器表面の文字や絵柄を立体的に表現し見やすくすることができる。
【００１２】
請求項４に記載の発明は、機器本体の天面あるいは側面に機器を操作する操作部を有し、表面の透明フィルム層の下層に透明材料層を有し、さらにその下層に有色材料層を一体に形成し、部分的に前記透明フィルム層のみの部分を有する外郭部材で外郭を構成し、前記操作部は前記外郭部材の前記透明フィルム層の部分に設けたものであり、安価に機器外郭に透明感のある質感を表現することができ、深みがあり高級感のあるデザインができるとともに、機器表面の文字や絵柄を立体的に表現し見やすくすることができる。
【００１３】
請求項５に記載の発明は、上記請求項４に記載の発明において、外郭部材を機器に固定するための嵌合部を有色材料層に構成したものであり、外郭部材を本体に機構的かつ確実に、そして簡単に取りつけることができる。
【００１４】
【実施例】
以下、本発明の実施例について、炊飯器を例に図面を参照しながら説明する。
【００１５】
（実施例１）
図２に示すように、炊飯器本体（機器本体）１は、有底筒状の鍋収納部１ａを有し、鍋２を着脱自在に収納する。鍋収納部１ａの底部に設けた底誘導コイル３は、鍋加熱手段を構成するもので、鍋２を誘導加熱し炊飯・保温を行う。底センサ４は、鍋２の温度を検知し、制御部５へ信号を送る。制御部５は底センサ４の信号より底誘導コイル３の通電量を制御し、鍋２の加熱量を制御することで鍋２の温度を炊飯・保温時に適温に制御する。
【００１６】
炊飯器本体１の上部は、炊飯器本体１の後部のヒンジ部６に設けたヒンジ軸７にて軸支した蓋体８により開閉自在に覆っている。蓋体８の先端に蓋係合部１４を設けており、炊飯器本体１の前方のフックボタン１６と閉蓋時に係合し、炊飯または保温中に蓋体８が開くのを防止する。フックボタン１６を押すと、蓋係合部１４とフックボタン１６の係合が外れ、蓋体８のヒンジ部６に設けたヒンジばね１７のばね力よって蓋体８が開く。
【００１７】
炊飯中や保温中にご飯から発生した蒸気は蓋体８の鍋２側に付着し、蓋体８を開いたときに露が本体上縁部１ｂに滴下したり、保温中にご飯の上に落下して、ご飯を白化させたりする。そこで、蓋体８には鍋２の内部空間を加熱する加熱板９を設けており、加熱板９は蓋加熱手段である蓋誘導コイル１０により誘導加熱され発熱し、炊飯・保温中の蓋体８への露つきを防止する。
【００１８】
加熱板９には加熱板蒸気口９ａを設けており、炊飯・保温中に発生する蒸気は、加熱板蒸気口９ａを通過し、蓋蒸気口８ｃから外部へ流出する。蒸気口パッキン１８は、加熱板蒸気口９ａからの蒸気が蓋体８の内部に流入するのを防止している。また、鍋パッキン１９は、加熱板９と鍋２のフランジ部２ａの間から蒸気が外部へ漏れ出すのを防止している。
【００１９】
蓋体８には、鍋加熱手段と蓋加熱手段を操作する操作部１３を設けている。操作部１３を蓋体８に設置すると、炊飯器がどちらの向きに向いていても操作部１３を操作でき、使い勝手がよいのに加え、炊飯器本体１の設置面積が少なくなり、炊飯器本体１の置き場所を確保しやすい。
【００２０】
蓋体８の外郭は、図１に示すように、ＡＢＳ樹脂、ポリカーボネート樹脂、アクリル樹脂などの透明材料層１５ｄの表面に、厚さ０．０５〜０．３ｍｍのポリエチレンテレフタレート樹脂等の透明フィルム層１５ｃを一体に成形し、部分的に透明フィルム層１５ｃのみで構成される開口部１５ａを有する外郭部材１５で覆われている。透明材料層１５ｄの厚さは、透明フィルム層１５ｃに比べて十分に厚肉の１〜３ｍｍとなっている。
【００２１】
そして、操作部１３は外郭部材１５の開口部１５ａに位置している。開口部１５ａには透明フィルム層１５ｃで構成される凸状のエンボス部１５ｆを設け、押しボタンスイッチとして機能し、エンボス部１５ｆと対向して取り付けたキー１３ｂを介してスイッチ１３ａを操作可能にしている。そして、外郭部材１５の透明材料層１５ｄにおいて、透明フィルム層１５ｃと反対側の面１５ｂは有色な加飾１５ｅを施している。
【００２２】
上記構成において作用を説明する。透明フィルム層１５ｃと透明材料層１５ｄを透過して透明材料層１５ｄの透明フィルム層１５ｃと反対側の面１５ｂの加飾１５ｅが透視されるので、外郭に透明感のある質感が表現でき、深みがあり高級感のあるデザインが可能となる。ここで、表面の透明フィルム層１５ｃに比べて透明材料層１５ｄが厚いほど透明感のある質感が強調される。
【００２３】
例えば、透明フィルム層１５ｃの厚さは、操作部１３の操作性から０．０５〜０．３ｍｍとされ、透明材料層１５ｄの厚さは１ｍｍ以上あると、かなりの透明感のある質感が表現できる。
【００２４】
また、本実施例のごとく、炊飯器等の調理機器においては、調理時の熱および発生する蒸気等により、外郭部材１５の材質は耐熱性を必要とされるが、従来における表面フィルム層の加飾材の耐熱性による限定がなくなり、ポリカーボネート樹脂等の採用が可能となるので、耐熱性を高めることができる。
【００２５】
なお、本実施例では、操作部１３は、炊飯器本体１の上部を開閉自在に覆う蓋体８に構成しているが、操作部１３を炊飯器本体１に構成し、同様な外郭部材１５で覆ってもよく、同様の作用、効果を得ることができる。
【００２６】
また、本実施例では、炊飯器を例に挙げたが、その他調理器や洗濯機あるいは食器洗い乾燥機、給湯機といった操作部に水のかかる場合のある機器であれば、同様に構成することで、同様の効果を得ることができる。
【００２７】
（実施例２）
図３に示すように、外郭部材１５は、蓋体８の外郭を構成するもので、この外郭部材１５の表面に設けた透明フィルム層１５ｃの一部に文字や絵柄などの加飾１８を施してある。他の構成は上記実施例１と同じである。
【００２８】
上記構成において作用を説明する。透明フィルム層１５ｃに文字や絵柄などの加飾１８を施すと、透明フィルム層１５ｃの文字や絵柄の影が外郭部材１５の透明材料層１５ｄを透過して外郭部材１５の底面に映り、文字や絵柄が立体的に表現できる。
【００２９】
例えば、操作部１３の操作内容を表現した文字などは、立体的に表現され文字が見やすくなる。また、絵柄なども立体的に表現でき、デザイン性がより一層高まるとともに、透明感のある質感と深みのある高級感がより一層強調できる。
【００３０】
（実施例３）
図１に示す有色な加飾１５ｅまたは図３に示す文字や絵柄などの加飾１８は、塗装もしくは印刷処理で加工している。他の構成は上記実施例１または２と同じである。
【００３１】
上記構成において作用を説明する。図１に示す加飾１５ｅまたは図３に示す加飾１８を塗装により処理すると、簡易に裏面全体を加飾することができ、塗装色を機器表面の文字や絵柄が見やすいような色とすることで、より一層機器表面の文字や絵柄を立体的に表現し見やすくすることができる。
【００３２】
また、印刷処理を施すと、複数色の絵柄や模様を施すことができ、デザイン性が高まるとともに、塗装と同様に、機器表面の文字や絵柄を立体的に表現し見やすくすることができる。
【００３３】
（実施例４）
図４に示すように、炊飯器本体２１は有底筒状の鍋収納部２１ａを有し、鍋２２を着脱自在に収納する。鍋収納部２１ａの底部に設けた底誘導コイル２３は鍋加熱手段を構成するもので、鍋２２を誘導加熱し炊飯・保温を行う。底センサ２４は、鍋２２の温度を検知し、制御部２５へ信号を送る。制御部２５は底センサ２４の信号より底誘導コイル２３の通電量を制御し、鍋２２の加熱量を制御することで鍋２の温度を炊飯・保温時に適温に制御する。
【００３４】
炊飯器本体２１の上部は、炊飯器本体２１の後部のヒンジ部２６に設けたヒンジ軸２７にて軸支した蓋体２８により開閉自在に覆っている。蓋体８の先端に蓋係合部３４を設けており、炊飯器本体２１の前方のフックボタン３６と閉蓋時に係合し、炊飯または保温中に蓋体２８が開くのを防止する。フックボタン３６を押すと、蓋係合部３４とフックボタン３６の係合が外れ、蓋体２８のヒンジ部２６に設けたヒンジばね３７のばね力よって蓋体８が開く。
【００３５】
炊飯中や保温中にご飯から発生した蒸気は蓋体２８の鍋２２側に付着し、蓋体２８を開いたときに露が本体上縁部２１ｂに滴下したり、保温中にご飯の上に落下して、ご飯を白化させたりする。そこで、蓋体２８には鍋２２の内部空間を加熱する加熱板２９を設けており、加熱板２９は蓋加熱手段である蓋誘導コイル３０により誘導加熱され発熱し、炊飯・保温中の蓋体２８への露つきを防止する。
【００３６】
加熱板２９には加熱板蒸気口２９ａを設けており、炊飯・保温中に発生する蒸気は、加熱板蒸気口２９ａを通過し、蓋蒸気口２８ｃから外部へ流出する。蒸気口パッキン３８は、加熱板蒸気口２９ａからの蒸気が蓋体２８の内部に流入するのを防止している。また、鍋パッキン３９は、加熱板２９と鍋２２のフランジ部２２ａの間から蒸気が外部へ漏れ出すのを防止している。
【００３７】
蓋体２８には、鍋加熱手段と蓋加熱手段を操作する操作部３３を設けている。操作部３３を蓋体２８に設置すると、炊飯器がどちらの向きに向いていても操作部３３を操作でき、使い勝手がよいのに加え、炊飯器本体２１の設置面積が少なくなり、炊飯器本体２１の置き場所を確保しやすい。
【００３８】
蓋体２８の外郭は、図５に示すように、表面に厚さ０．０５〜０．３ｍｍのポリエチレンテレフタレート樹脂等の透明フィルム層３５ａを有し、その下層にＡＢＳ樹脂、ポリカーボネート樹脂、アクリル樹脂などの透明材料層３５ｂを有し、さらにその下層に有色材料層３５ｃを一体に形成し、部分的に透明フィルム層３５ａのみで構成される開口部３５ｄを有する外郭部材３５で覆われている。
【００３９】
透明材料層３５ｂの厚さは、透明フィルム層３５ａに比べて十分に厚肉の１〜３ｍｍとなっている。有色材料層３５ｃは透明材料層３５ｂと同種の材料あるいは透明材料層３５ｂと成形密着性のある有色の材料からなり、例えば、透明材料層３５ｂがアクリル樹脂であれば、有色材料層３５ｃは着色したアクリル樹脂あるいはＡＢＳ樹脂で構成する。
【００４０】
そして、操作部３３は外郭部材３５の開口部３５ｄに位置している。開口部３５ｄには透明フィルム層３５ａで構成される凸状のエンボス部３５ｆを設け、押しボタンスイッチとして機能し、エンボス部３５ｆと対向して取り付けたキー３３ｂを介してスイッチ３３ａを操作可能にしている。
【００４１】
上記構成において作用を説明する。透明フィルム層３５ａを透明なフィルム層とし、さらに透明材料層３５ｂの下層に有色材料層３５ｃを一体に形成すると、透明フィルム層３５ａと透明材料層３５ｂを透過して有色材料層３５ｃが透視されるので、外郭に透明感のある質感が表現でき、深みがあり高級感のあるデザインが可能となる。
【００４２】
ここで、表面の透明フィルム層３５ａに比べて透明材料層３５ｂが厚いほど透明感のある質感は強調される。例えば、透明フィルム層３５ａの厚さは操作部３３の操作性から０．０５〜０．３ｍｍとされ、透明材料層３５ｂの厚さは１ｍｍ以上あると、かなりの透明感のある質感が表現できる。
【００４３】
また、透明フィルム層３５ａに文字や絵柄などの加飾を施すと、外郭部材３５の透明材料層３５ｂを通して透明フィルム層３５ａの文字や絵柄の影が有色材料層３５ｃに映り、文字や絵柄が立体的に表現でき、文字は見やすくなり、デザイン性もより一層高まるとともに、透明感のある質感と深みのある高級感がより一層強調できる。
【００４４】
加えて、一体に形成することで、有色材料層３５ｃが透明フィルム層３５ａおよび透明材料層３５ｂからむらなく透過して見え、安定した品質で透明感のある質感を表現できる上、加工時の歩留まりも向上する。さらに、透明フィルム層３５ａと透明材料層３５ｂと有色材料層３５ｃは樹脂で構成されるので、一体成形工法を用いれば、安価に透明感のある質感を表現できるとともに、外郭部材３５を厚肉とし剛性を向上させることができる。
【００４５】
なお、本実施例では、操作部３３は、炊飯器本体２１の上部を開閉自在に覆う蓋体２８に構成しているが、操作部３３を炊飯器本体２１に構成し、同様な外郭部材３５で覆ってもよく、同様の作用、効果を得ることができる。
【００４６】
また、本実施例では、炊飯器を例に挙げたが、その他調理器や洗濯機あるいは食器洗い乾燥機、給湯機といった操作部に水のかかる場合のある機器であれば、同様に構成することで、同様の効果を得ることができる。
【００４７】
（実施例５）
図６に示すように、外郭部材４０の有色材料層４０ａに、外郭部材４０を蓋体４８に固定するための嵌合部を構成している。嵌合部は爪部４０ｂやねじ用ボス部４０ｃからなる。他の構成は上記実施例４と同じである。
【００４８】
上記構成において作用を説明する。外郭部材４０は多層構造からなり、それぞれの層で熱や経年変化の収縮変化率が違う。そのため、水だけでなく熱も加わる機器では過度の熱が加わったり、長年の使用により外郭部材４０が変形したり、反りが発生することがあるので、接着あるいは爪嵌合やねじ止めで固定する必要がある。
【００４９】
本実施例のように、有色材料層４０ａに嵌合用の爪部４０ｂやねじ用ボス部４０ｃを構成し、本体あるいは蓋体４８に爪嵌合あるいはねじ止めで固定すると、外観部に爪部４０ｂやねじ用ボス部４０ｃは見えることなく、外観の透明感を損なうことなく、確実に蓋体４８に固定することができる。加えて、接着剤などは不要となり、短時間で蓋体４８に取り付けることができる。
【００５０】
【発明の効果】
以上のように本発明の請求項１に記載の発明によれば、機器本体の天面あるいは側面に機器を操作する操作部を有し、透明材料層の表面に透明フィルム層を一体に成形し、部分的に前記透明フィルム層のみの部分を設けて前記操作部を形成するとともに、前記透明材料層の前記透明フィルム層と反対側の面に有色な加飾を施した外郭部材で外郭を構成したから、機器外郭に透明感のある質感を表現することができ、深みがあり高級感のあるデザインができるとともに、機器表面の文字や絵柄を立体的に表現し見やすくすることができる。
【００５１】
また、請求項２に記載の発明によれば、透明フィルム層の一部に加飾を施したから、機器表面の文字や絵柄を立体的に表現することができ、見やすくすることができる。
【００５２】
また、請求項３に記載の発明によれば、透明材料層の透明フィルム層と反対側の面の有色な加飾は塗装もしくは印刷処理としたから、より一層機器表面の文字や絵柄を立体的に表現し見やすくすることができる。
【００５３】
また、請求項４に記載の発明によれば、機器本体の天面あるいは側面に機器を操作する操作部を有し、表面の透明フィルム層の下層に透明材料層を有し、さらにその下層に有色材料層を一体に形成し、部分的に前記透明フィルム層のみの部分を有する外郭部材で外郭を構成し、前記操作部は前記外郭部材の前記透明フィルム層の部分に設けたから、安価に機器外郭に透明感のある質感を表現することができ、深みがあり高級感のあるデザインができるとともに、機器表面の文字や絵柄を立体的に表現し見やすくすることができる。
【００５４】
また、請求項５に記載の発明によれば、外郭部材を機器に固定するための嵌合部を有色材料層に構成したから、外郭部材を本体に機構的かつ確実に、そして簡単に取りつけることができる。
【図面の簡単な説明】
【図１】本発明の第１の実施例の水使用機器の要部断面図
【図２】同水使用機器の断面図
【図３】本発明の第２の実施例の水使用機器の上面図
【図４】本発明の第４の実施例の水使用機器の断面図
【図５】同水使用機器の要部断面図
【図６】本発明の第５の実施例の水使用機器の要部断面図
【図７】従来の水使用機器の要部断面図
【符号の説明】
１  炊飯器本体（機器本体）
１３  操作部
１５  外郭部材
１５ｃ  透明フィルム層
１５ｄ  透明材料層
１５ｅ  有色な加飾
【図１】
2004167133.tif 000003
【図２】
2004167133.tif 000004
【図３】
2004167133.tif 000005
【図４】
2004167133.tif 000006
【図５】
2004167133.tif 000007
【図６】
2004167133.tif 000008
【図７】
2004167133.tif 000009